(57)【要約】【課題】曲げモーメントと引張力をシャフトで  せん断力を柱で処理出来る木造門型ラーメンフレーム【解決手段】木造門型ラーメンの曲げモーメントと引張応力をシャフトで又  せん断力を柱頭で伝達できるので鋼構造等のラーメン構造と同じように曲げモーメントとせん断力に分けた明確な構造計算が出来また木造軸組構法の１部に木造門型ラーメンフレームが必要な箇所に必要な数だけ使用して木造軸組構法と併用して建設できるので鉄骨造やＲＣ造との混構造に比べて安価な混構造ができる【選択図】図１
2005083188.tif 000002
【特許請求の範囲】
【請求項１】
木構造の軸組部の柱と梁の接合部にシャフトを設けてモーメント抵抗接合した木造門型ラーメンフレーム構法で複数の柱の柱頭と柱脚に曲げモーメントと引張り力を処理させるシャフトを設けておき柱頭のシャフトに梁をセットしてドリフトピンやボルトで固定して柱と梁を緊結して更に柱脚のベースプレート付シャフトをセットして此れを基礎のアンカーボルトに接続して基礎に緊結した木造門型ラーメンフレーム
【請求項２】
請求項１の柱脚に使用する柱と基礎を緊結する為にシャフトの軸部にドリフトピンを固定出来る溝とベースプレートを設けたベースプレート付シャフト
【発明の詳細な説明】
【技術分野】
【０００１】本発明は木構造の軸組部の柱と梁のモーメント抵抗接合に関するものである
【背景技術】
【０００２】従来の木構造の軸組部の柱と梁のモーメント抵抗接合仕口工法には大断面構造が主流で木造住宅用の小断面構造による軸組には接合部の強度や耐火の問題があり日本ではほとんど普及していない【０００３】木造門型ラーメンフレーム接合仕口には
１  ＬＶＬ板によるガセット釘処理接合タイプ
２  木質パネル工法
３  枠組壁工法
４  引張りボルトタイプ等がある
【発明の開示】
【発明が解決しようとする課題】
【０００４】解決しようとする問題点は大断面構造による木造門型ラーメンフレーム工法でも下記のような問題がある【０００５】  ＬＶＬ板によるガセット釘処理接合及び木質パネル工法や枠組壁工法タイプは性能試験等では釘の耐力で許容応力が決まるので木材破壊によるバラツキは起きないのでバラツキ係数は低くなり高強度の値が出るが暴風応力による１０年〜１５年後の釘と木材の収縮及劣化等考慮すると許容応力は低くなるし地震時にはかなり危険【０００６】引張りボルト接合タイプはボルトやラグスクリュウで接合させる構法だが建方時に梁受け用の仮設材がいるし金物も外付けで耐火性能も落ちるし施工性も悪い
【課題を解決するための手段】
【０００７】以上の様な課題を解決する為にこの発明では木構造の軸組部の柱と梁の接合部にシャフトを設けてモーメント抵抗接合した木造門型ラーメン構法で複数の柱の柱頭と柱脚に曲げモーメントと引張力を処理するシャフトを設けておき柱頭のシャフトに梁をセットしてドリフトピンやボルトで緊結して柱脚にベースプレート付シャフトを固定してこれに基礎のアンカーボルトを接続して基礎に緊結した木造門型ラーメンフレームで固定荷重及び積載荷重等の鉛直応力と地震や暴風等の水平応力を負担させる
【発明の効果】
【０００８】本発明の木造門型ラーメンフレームを木造住宅の軸組に使用すると狭小間口の住宅や長スパン開口の木造住宅が建築できる【０００９】本発明の木造門型ラーメンは曲げモーメントと引張り力をシャフトで剪断力を柱頭で処理出来るので構造計算により部材の大きさを算出できるし接合金物も木材の内部にセットされるので接合金物の耐火性能も期待できる
【発明を実施するための最良の形態】
【００１０】柱の柱頭に垂直にシャフトをセットするためのシャフト用穴とシャフトを固定するためのドリフトピン用の穴を水平に設けてシャフト用穴にシャフトを挿入してドリフトピン用穴にドリフトピンを打ち込み柱頭にシャフトを固定して置く  これに端部にシャフトをセットするためのシャフト用垂直穴とシャフトを固定するためのドリフトピン用水平穴を設けた梁を柱頭のシャフトにセットしてドリフトピンで固定して柱頭と梁端部を緊結して更に梁のシャフト用穴よりシャフトの雌ねじ部にワッシャをセットしたボルトをねじ込み柱と梁を緊結する
尚シャフトには柱と梁を固定する為のドリフトピン固定用溝とボルトをセットする為の雌ネジを設けて置く又シャフトを固定するドリフトピンの代わりにボルトとナットで固定しても同じ効果が得られる【００１１】  柱の柱脚にはシャフトを垂直にセットするためのシャフト用穴とシャフトを固定するためのドリフトピン用穴を水平に設けてシャフト用穴にベースプレート付シャフトのシャフト部を挿入してセットしてドリフトピン用穴にドリフトピンを打ち込み柱脚にベースプレート付シャフトを固定して更にベースプレート部を基礎のアンカーボルトに座金とナットで固定して柱脚を基礎に緊結する
尚ベースプレート付シャフトにはドリフトピンを固定出来る溝とボルト接続用の雌ネジを設けて置くまたベース部にはボルト用穴とアンカーボルト固定用の穴を設けてベースプレートをシャフトにボルトでセットして置く  又ベースプレート付シャフトはベースプレートにシャフトを溶接等で固定しても同じ効果が生じる
【実施例１】
【００１２】図１〜３は柱の柱頭分にシャフトをセットするためのシャフト用穴とシャフトを固定するためのドリフトピン用の穴を設けてシャフト用穴にシャフトを挿入してドリフトピン用穴にドリフトピンを打ち込み柱頭にシャフトを固定して置く  これに端部にシャフトをセットするためのシャフト用穴とシャフトを固定するためのドリフトピン用穴を設けた梁を柱頭のシャフトにセットしてドリフトピンで固定して柱頭と梁端部を緊結して更にはりのシャフト用穴よりシャフトの雌ねじ部にワッシャをセットしたボルトをねじ込み柱と梁を緊結して  更に柱の柱脚にはシャフトをセットするためのシャフト用穴とシャフトを固定するためのドリフトピン用穴を設けてシャフト用穴にベースプレート付シャフトのシャフト部を挿入してセットしてドリフトピン用穴にドリフトピンを打ち込み柱脚にベースプレート付シャフトを固定して更にベースプレート部を基礎のアンカーボルトに座金とナットで固定して柱脚を基礎に緊結する木造門型ラーメンフレーム
【実施例２】
【００１３】図４はドリフトピンを固定出来る溝とボルト用雌ねじを設けたシャフトをベースプレートにボルトで固定するベースプレート付シャフトのベースプレート
【実施例３】
【００１４】図５はドリフトピンを固定出来る溝をシャフトに設けたシャフトをベースプレートに溶接で固定した請求項２のベースプレート付シャフト
【産業上の利用可能性】
【００１５】本発明の木造門型ラーメンフレームはＬ型やＴ型に組み合わせる事により両方向小断面構造用木造門型ラーメンフレームとして木造軸組に利用できるし  壁なしの長スパン開口や大空間建築が建設できる【００１６】本発明の木造門型ラーメンフレームは木造住宅等の全ラーメン構造として利用できるし狭小間口のガレージ等に木造軸組構法の１部に木造門型ラーメンフレームが必要な箇所に必要な数だけ使用して木造軸組構法と併用して建設できるので鉄骨造やＲＣ造との混構造に比べて安価な混構造ができる【００１７】本発明の木造門型ラーメンは木造住宅等のリホームに使用すると耐力壁付柱と耐力壁を撤去できるので大空間が取れる
【図面の簡単な説明】
【００１８】
【図１】木造門型ラーメンフレームの実施方法を示した説明の立面図（実施例１）
【図２】木造門型ラーメンフレームの実施方法を示した柱頭部説明の立面詳細図（実施例１）
【図３】木造門型ラーメンフレームの実施方法を示した柱脚部説明の立面詳細図（実施例１）
【図４】木造門型ラーメンフレームの柱脚部に使用するベースプレート付シャフトのベースプレートの平面図
【図５】木造門型ラーメンフレームの柱脚部に使用するシャフトにプレートを溶接で固定したベースプレート付シャフトの立面図
【符号の説明】
【００１９】１    柱
２    梁
３    基礎
４    シャフト
５    ドリフトピン
６    ボルト
７    ワッシャ
８    ベースプレート
９    アンカーボルト
１０  敷モルタル
１１  雌ネジ
１２  溝
１３  ナット
１４  穴
１５  溶接
【図１】
2005083188.tif 000003
【図２】
2005083188.tif 000004
【図３】
2005083188.tif 000005
【図４】
2005083188.tif 000006
【図５】
2005083188.tif 000007